(57)【要約】フレキシブルなネットワークアーキテクチャを提供する方法及び装置において、通信システムにおいて動作可能な装置が、通信システムを介する接続に関連した機能のセットを提供する１つ又は複数のロジカルエンティティを備える。ロジカルエンティティは、直列に接続され、機能のサブセットは、ロジカルエンティティの各々が生じるごとに提供される。
2010504050.tif 000002
【特許請求の範囲】
【請求項１】
通信システムにおいて動作可能な装置であって、
通信システムを介する接続に関連した機能のセットを提供する１つ又は複数のロジカルエンティティを備え、
前記ロジカルエンティティは直列に接続され、
前記機能のサブセットは、前記ロジカルエンティティの各々が生じるごとに提供される装置。
【請求項２】
前記通信システムが、システム・アーキテクチャ・エボリューション（ＳＡＥ）通信システムである請求項１に記載の装置。
【請求項３】
前記ロジカルエンティティがＳＡＥアンカである請求項１に記載の装置。
【請求項４】
前記接続が、ネットワーク間ローミング接続である請求項１に記載の装置。
【請求項５】
前記機能のサブセットは、ポリシー実施と、データルーティング及びデータ交換と、オンライン課金処理と、フローモニタリングと、合法傍受とのうちの１つを含む請求項１に記載の装置。
【請求項６】
通信システムにおいて用いられる方法であって、
前記通信システムを介する接続に関連した機能のセットを提供する１つ又は複数のロジカルエンティティを提供することを備え、
前記ロジカルエンティティは直列に接続され、
前記機能のサブセットは、前記ロジカルエンティティの各々が生じるごとに提供される方法。
【請求項７】
前記通信システムが、システム・アーキテクチャ・エボリューション（ＳＡＥ）通信システムである請求項６に記載の方法。
【請求項８】
前記ロジカルエンティティがＳＡＥアンカである請求項６に記載の方法。
【請求項９】
前記接続が、ネットワーク間ローミング接続である請求項６に記載の方法。
【請求項１０】
前記機能のサブセットは、ポリシー実施と、データルーティング及びデータ交換と、オンライン課金処理と、フローモニタリングと、合法傍受とのうちの１つを含む方法。
【請求項１１】
機械によって実行されると、前記機械に動作を実行させる命令群を備えた機械読取可能媒体であって、前記動作は、
通信システムを介する接続に関連した機能のセットを提供する１つ又は複数のロジカルエンティティを提供することを含み、
前記ロジカルエンティティは直列に接続され、
前記機能のサブセットは、前記ロジカルエンティティの各々が生じるごとに提供される機械読取可能媒体。
【請求項１２】
前記通信システムが、システム・アーキテクチャ・エボリューション（ＳＡＥ）通信システムである請求項１１に記載の機械読取可能媒体。
【請求項１３】
前記ロジカルエンティティがＳＡＥアンカである請求項１１に記載の機械読取可能媒体。
【請求項１４】
前記接続が、ネットワーク間ローミング接続である請求項１１に記載の機械読取可能媒体。
【請求項１５】
前記機能のサブセットは、ポリシー実施と、データルーティング及びデータ交換と、オンライン課金処理と、フローモニタリングと、合法傍受とのうちの１つを含む請求項１１に記載の機械読取可能媒体。
【請求項１６】
無線通信システムにおいて動作可能な装置であって、
前記通信システムを介する接続に関連した機能のセットを提供する１つ又は複数のロジカルエンティティを提供するように構成されたプロセッサであって、前記ロジカルエンティティは直列に接続され、前記機能のサブセットは前記ロジカルエンティティの各々が生じるごとに提供されるプロセッサと、
前記プロセッサに接続された、データを格納するメモリと
を備えた装置。
【請求項１７】
前記通信システムが、システム・アーキテクチャ・エボリューション（ＳＡＥ）通信システムである請求項１６に記載の装置。
【請求項１８】
前記ロジカルエンティティがＳＡＥアンカである請求項１６に記載の装置。
【請求項１９】
前記接続が、ネットワーク間ローミング接続である請求項１６に記載の装置。
【請求項２０】
前記機能のサブセットは、ポリシー実施と、データルーティング及びデータ交換と、オンライン課金処理と、フローモニタリングと、合法傍受とのうちの１つを含む請求項１６に記載の装置。
【発明の詳細な説明】
【技術分野】
【０００１】
本発明は、一般に無線通信に関し、特に、フレキシブルなネットワークアーキテクチャに関する。
【背景技術】
【０００２】
無線通信システムは、例えば音声、データ等のような様々なタイプの通信コンテンツを提供するために、幅広く開発される。これらのシステムは、利用可能なシステムリソース（例えば、帯域幅及び送信電力）の共有によって、多くのユーザとの通信をサポートすることができる多元接続システムであることができる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・エボリューション（ＬＴＥ）システム、及び直交周波数分割多元接続（ＯＦＤＭＡ）システムを含む。
【０００３】
一般に、無線多元接続通信システムは、多くの無線端末のための通信を同時にサポートすることができる。各端末は、順方向リンク及び逆方向リンク上の送信を介して、１つ又は複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、又は複数入力複数出力（ＭＩＭＯ）システムによって確立することができる。
【０００４】
一般に、ネットワークアーキテクチャを簡略化し、１つのノードの構成に近づけるためには、特にユーザ面ハンドリングに関して圧力がかかる。しかし、ローミングの場合、訪問先ネットワークとホームネットワークとの両方が、（ポリシー管理、課金処理のためのカウント、合法傍受、フィルタリング等のために）ユーザデータを処理することができなければならない。そのため、１つのユーザ面ノードが訪問先ネットワークにあり、別の１つがホームネットワークにあるというアーキテクチャが生じる。非ローミングの場合にも、これら２つのノードは未だ存在しており、これらの機能はオーバラップしている。更に、システムのその他の部分からこれら２つのユーザ面ノードへのインタフェースが生成され、非常に類似した特徴を持つ２倍の量のインタフェースがもたらされる。そこで、このネットワークアーキテクチャの簡略化へのニーズがある。
【発明の概要】
【０００５】
本願は、２００６年９月１４日出願の“METHOD AND APPARATUS FOR FLEXIBLE NETWORK ARCHITECTURE”と題された米国特許仮出願６０／８４４，８４５号の利益を主張する。この出願全体が、参照によって本願に組み込まれる。
【０００６】
下記は、局面の基本的理解を提供するために、１つ又は複数の局面の簡略化された概要を提供する。この概要は、意図された局面全ての広範囲な概観でなく、全ての局面の重要要素又は決定的要素を明らかにしたり、任意又は全ての局面の範囲を線引きすることは意図されていない。この概要のただ１つの目的は、１つ又は複数の局面のいくつかの概念を、以下に記載するより詳細な説明の前置きとして簡略化した形式で示すことである。
【０００７】
局面によると、通信システムにおいて動作可能な装置が、通信システムを介する接続に関連した機能のセットを提供する１つ又は複数のロジカルエンティティを備える。ロジカルエンティティは、直列に接続され、機能のサブセットは、各ロジカルエンティティが生じるごとに提供される。
【０００８】
上記記載及び関連する目的を達成するために、１つ又は複数の局面は、以下で完全に説明され、特に特許請求の範囲に示される特徴を備える。下記記載及び添付図面は、１つ又は複数の局面のある例示的局面を詳細に説明する。しかしこれらの局面は、様々な局面の原理が用いられることができる様々な方法のうちのうちのいくつかしか示しておらず、説明された局面は、このような局面の全て及びそれらの均等物を含むように意図されている。
【図面の簡単な説明】
【０００９】
【図１】図１は、一般的な３ＧＰＰアーキテクチャの実施形態を示す。
【図２】図２は、非ローミングユーザに適用されるアーキテクチャの典型的な実施形態を示す。
【図３】図３は、ローミングユーザに適用されるアーキテクチャの典型的な実施形態を示す。
【図４】図４は、ローミングユーザに適用されるアーキテクチャの別の典型的な実施形態を示す。
【図５】図５は、ローミングユーザのために適用される、ローカルブレークポイントを有するアーキテクチャの典型的な実施形態を示す。
【図６】図６は、ローミングユーザのために適用される、２つのＰＤＮへの接続を用いたアーキテクチャの典型的な実施形態を示す。
【図７ａ】図７ａは、２つの異なるロジカルノード、ノード１及びノード２を有する典型的なＳＡＥアーキテクチャを示す。
【図７ｂ】図７ｂは、２つの異なるロジカルノード、ノード１及びノード２を有する典型的なＳＡＥアーキテクチャを示す。
【図８ａ】図８ａは、単一のロジカルノード、ノードＡを有する典型的なＳＡＥアーキテクチャを示す。
【図８ｂ】図８ｂは、単一のロジカルノード、ノードＡを有する典型的なＳＡＥアーキテクチャを示す。
【発明を実施する形態】
【００１０】
ここで、様々な実施形態が、同一の符号が明細書を通して同一の要素を参照するために用いられる図面に関連して説明される。以下の説明において、説明目的のために、１つ又は複数の実施形態の完全な理解を提供するために多くの具体的な詳細が説明される。しかし、そのような実施形態は、これら具体的な詳細なしでも実現されうることが明確である。他の例において、周知の構成及びデバイスが、１つ又は複数の実施形態の説明を容易にするためにブロック図形式で示される。
【００１１】
本明細書で説明される技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク等のような様々な無線通信ネットワークのために用いることができる。「ネットワーク」及び「システム」という用語は、しばしば互換性を持って用いられる。ＣＤＭＡネットワークは、例えばユニバーサル地上無線アクセス（Universal Terrestrial Radio Access）（ＵＴＲＡ）、ｃｄｍａ２０００等のような無線技術を実現することができる。ＵＴＲＡは、広帯域ＣＤＭＡ（Ｗ−ＣＤＭＡ）及び低チップレート（ＬＣＲ）を含む。ｃｄｍａ２０００は、ＩＳ−２０００規格、ＩＳ−９５規格、及びＩＳ−８５６規格をカバーする。ＴＤＭＡネットワークは、例えばグローバル・システム・フォー・モバイル・コミュニケーション（ＧＳＭ）のような無線技術を実現することができる。ＯＦＤＭＡネットワークは、例えば次世代（Evolved）ＵＴＲＡ（Ｅ−ＵＴＲＡ）、ＩＥＥＥ  ８０２．１１、ＩＥＥＥ  ８０２．１６、ＩＥＥＥ  ８０２．２０、Ｆｌａｓｈ−ＯＦＤＭ（登録商標）等のような無線技術を実現することができる。ＵＴＲＡ、Ｅ−ＵＴＲＡ、及びＧＳＭは、ユニバーサル・モバイル・テレコミュニケーション・システム（ＵＭＴＳ）の一部である。ロング・ターム・エボリューション（ＬＴＥ）は、Ｅ−ＵＴＲＡを用いる近々公開されるＵＭＴＳである。ＵＴＲＡ、Ｅ−ＵＴＲＡ、ＧＳＭ、ＵＭＴＳ、及びＬＴＥは、“3rd Generation Partnership Project”と名づけられた組織からの文書で説明される。ｃｄｍａ２０００は、“3rd Generation Partnership Project 2”（３ＧＰＰ２）と名づけられた組織からの文書で説明される。これら様々な無線技術及び規格は、当該技術において周知である。
【００１２】
明確化のために、本技術のある局面が以下でＬＴＥに関して説明され、ＬＴＥ用語が、以下の説明の多くの部分において用いられる。
【００１３】
本明細書で説明される実施形態は、３ＧＰＰのシステム・アーキテクチャ・エボリューション（ＳＡＥ）に関連して説明されるが、それらは、フレキシブルな構成を必要とする任意のネットワークアーキテクチャにも関連しうる。一般に、ネットワークアーキテクチャを簡略化し、１つのノードの構成に近づけると、特にユーザ面ハンドリングに関して圧力がかかる。一方、ローミングの場合、訪問先ネットワークとホームネットワークとの両方が、（ポリシー管理、課金処理のためのカウント、合法傍受、フィルタリング等のために）ユーザデータを処理することができなければならない。そのため、１つのユーザ面ノードが訪問先ネットワークにあり、別の１つがホームネットワークにあるアーキテクチャが生じる。非ローミングの場合にも、これら２つのノードは未だ存在し、それらの機能がオーバラップする。更に、システムのその他の部分からこれら２つのユーザ面ノードへのインタフェースが生成され、非常に類似した特徴を持つ２倍の量のインタフェースがもたらされる。
【００１４】
本明細書で説明される実施形態は、単一のユーザ面ノードを生成する。通常の非ローミング接続の場合、１つのノードしか必要でないが、いくつかの与えられた接続（例えばローミング）の場合、これらのノードは、例えば１つのノードが訪問先ネットワークにあり、１つのノードがホームネットワークにあるように直列に接続することができる。これは、システムのその他の部分からのインタフェースのセットが１つしか生成されないために、アーキテクチャを大いに簡略化する。ここでは、複数のノードが必要でない場合（例えばローカル接続の場合）、１つのユーザ面ノードを用いることができ、複数のノードが必要である場合（例えばローミング接続の場合）、２つのユーザ面ノードを用いることができる。
【００１５】
典型的なシステムにおいて、２つの異なるロジカルノードがシステムアーキテクチャのために生成される。１つは訪問先ネットワークのためであり、もう１つはホームネットワークのためである。この場合でも、これらのロジカルノードは単一のボックス内に実現することができるが、具体的な観点からは、未だ２つのノードがあり、余分な複雑さがある。
【００１６】
３ＧＰＰシステム・アーキテクチャ・エボリューションの場合、１つのコアネットワークユーザ面ノードのみが生成され、「ＳＡＥアンカ」と称される。通常（非ローミング、単一サービスアクセス）の場合、１つのＳＡＥアンカのみが接続に用いられるが、いくつかの接続の場合、２つのＳＡＥアンカを直列に接続することができる。これは、訪問先ネットワークとホームネットワークとの両方がユーザデータにアクセスする必要がある場合、例えばローミングの場合必要である。またローミングの場合、直列接続されたノードは、１つのノード内のローカル移動性を隔離することができ、その他のノードは、グローバルローミングのみに関連することになる。このアプローチは、スペックエフォート及びアーキテクチャを簡略化する。このアプローチはまた、ローミング接続のための２つのノード構成という利益を可能としながら、簡略な非ローミング接続から複雑さを取り除く。
【００１７】
本明細書で説明される実施形態において、１つのユーザ面ノードしか定義される必要はない。これは、システムアーキテクチャを簡略化する。これら単一ノードのうちの２つを直列に接続することにより、２つのノード構成の利益を選択的に用いることができる。多くの接続の場合、２つのノードを直列に接続する必要はなく、１つのノードで十分である。よってこの実施形態は、単一のノード構成と２つのノード構成との両方の利益を、何れの不利益ももたらさず達成する。
【００１８】
図１に示すように、一般的なアーキテクチャにおいて、エンハンスト・パケット・コア（ＥＰＣ）ネットワーク内には１つのユーザ面ノードしかない。ここではそれをＳＡＥアンカと称するが、ＧＧＳＮ、エンハンストＧＧＳＮ等であることもできる。接続されたモバイルデバイス（別名、ユーザ機器、ＵＥ、ハンドセット、モバイルノード、ＡＴ等）からの、又はそれらへのユーザデータは、ユーザ面ノード「ＳＡＥアンカ」を通過する。
【００１９】
ＥＰＣを通過しているユーザデータのために実行されるために必要かつ望まれる機能は、ＳＡＥアンカ内で行われる。これらの機能は、例えば下記を含むことができる。
【００２０】
ポリシー管理：ＳＡＥアンカは、通過しているユーザデータに適用するポリシーを記述するポリシーを受信する。これらのポリシーは一般に、例えばＰＣＲＦ（ポリシー管理機能、ポリシー及び課金処理規則機能等）、ＨＳＳ、又はその他の制御要素のような外部ソースから得られる。ＳＡＥアンカは、通過しているユーザデータを許可、拒否、修正、及び／又はフィルタリングすることによって、受信したポリシーをユーザ面に対して実施する。ＳＡＥアンカは、ポリシーをユーザデータパス内の別のノードに適用可能なポリシーに変換し、他のポリシー実施ポイントへポリシーを渡すこともできる。
【００２１】
加入者プロファイルハンドリング：ＳＡＥアンカは、加入者プロファイルを外部ソースから受信することができる。加入者プロファイルは、何れのタイプの接続が、接続されたユーザに許可されているか、例えばそのユーザが何れのパケットデータネットワークに接続することができるかを定めることができる。加入者プロファイルはまた、あるパケットデータネットワーク（ＰＤＮ）にアクセスするためにＵＥから要求される、格納されたユーザ名及びパスワードを含むことができる。加入者プロファイルはまた、ＳＡＥアンカによるユーザデータのハンドリング及び／又はルーティングに影響を及ぼすその他の情報を含むことができる。
【００２２】
課金処理：ＳＡＥアンカは、通過しているユーザデータの特徴に基づいて、課金処理情報を課金処理エンティティへ報告する。例えば、通過しているユーザデータのボリュームを報告する。この報告は、通過しているユーザデータのコンテンツや、そのソース及び／又は宛て先アドレスに基づいて、異なるカテゴリへ分割されることもできる。
【００２３】
ユーザデータ交換及びルーティング：ＳＡＥアンカは、通過しているユーザデータを、ユーザデータパス内の次のノードへルーティング／交換／転送する責任を負う。この目的のために、ＳＡＥアンカは、特定の移動プロトコル及び／又はトランスポートプロトコルを有する。
【００２４】
ＳＡＥアンカによって操作される機能は他にもありうる。
【００２５】
図２に示すように、この非ローミングの場合、１つのＳＡＥアンカのみが、ユーザデータを通過させるために用いられる。これは、ユーザデータ処理が単一のノード内に集中していることを意味する。これにより、ＳＡＥ機能をサポートするインタフェースがその単一のＳＡＥアンカノード内のみで終了するので、アーキテクチャが簡略化される。ＥＰＣ内に、二重のユーザデータ処理機能や、二重のインタフェースの必要はない。
【００２６】
図３に示すように、このローミングの場合、ＳＡＥアンカの２つの例が見られる。これは、一般に必要とされるように、ユーザ面処理機能が、例えば訪問先ネットワーク内とホームネットワーク内との２つの場所に存在することができることを意味する。この解決策によって、このような構成が必要である場合、ユーザ面処理機能のための２つのノードを有することが可能となる。非ローミングの場合を示す図２から分かるように、必要がない場合、これら２つの動作中のノードを有することは要求されない。また、ローミングの場合２つの異なるユーザ面ノードを定める代わりに、同一のロジカルノードを２回用いると、ＥＰＣノードと、システムのその他の部分との間のインタフェースの量が低減される。例えば、ＰＣＲＦ、ＨＳＳ、課金処理システム等へのインタフェースは、２つのロジカルノードに接続される必要がない。データパス内の単一ノードが複数回生じる可能性があれば、１つのロジカルノードで十分である。
【００２７】
直列に接続された複数の（２より多い）ＳＡＥアンカを有することが可能である。また、例えばＳＡＥアンカの一般的な位置とモバイルとの間に長い物理的距離がある場合、あるいは単一のモバイルデバイスからいくつかのパケットデータネットワークにアクセスする場合のようなローミング以外の場合に、複数のユーザ面ノードを用いることも可能である。
【００２８】
図４に示すように、ここでは、移動、トランスポート、及び交換のために、ＳＡＥアンカ間で異なるプロトコルが用いられる点以外は、図３に示した例と同様である例が示される。直列接続されたＳＡＥアンカ間の接続プロトコルは、例えば、ＧＴＰ、モバイルＩＰ、ＧＲＥ、ＩＰ、ＰＭＩＰ、エンハンストＧＴＰ、又はその他任意の適切なプロトコルであることができる。このプロトコルはまた、上記プロトコルから派生した任意のプロトコルであることもできる。
【００２９】
図５に示すように、この例は、ＳＡＥアンカの発生が、ユーザデータ内の異なるデータフローによって異なりうることを示す。この例において、ユーザデータのうちのいくつかは、第１のＳＡＥアンカから、ＥＰＣシステム外へルーティングされる。これは一般に、ローカルサービス、又はローカルネットワークからより良好にアクセスされうるサービスに接続するために行われる。これらのサービスは、例えばローカルサービス、ＩＭＳサービス、緊急コール、インターネット接続等であることができる。
【００３０】
図６に示すように、この例は、ＳＡＥアンカの２つの異なる直列接続の発生を示す。この直列接続メカニズムは、ユーザデータフローの一部を複数のＳＡＥアンカに接続するためにも用いることができる。１つのフローは、第１のＳＡＥアンカから第２のＳＡＥアンカへ、１つの位置でルーティング／交換／転送される。同時に、同じユーザデバイスからの別のフローが、第１のＳＡＥアンカから第３のＳＡＥアンカへルーティングされる。これにより、第２のＳＡＥアンカ及び／又は第３のＳＡＥアンカで、ユーザデータフローのサービス又はＰＤＮ特有ハンドリングをすることが可能となる。また、各々が自身の専用ＳＡＥアンカノードを有する単一又は複数のＰＤＮ、企業ネットワーク、及び／又は特定のサービスへの接続も可能となる。
【００３１】
図７ａ及び図７ｂに示すように、これらは、２つの異なるロジカルノードであるノード１及びノード２（アプローチ１）、及び、ＥＰＣと、ＥＰＣ内のユーザ面処理に関するシグナリング機能のためのシステム内のその他の部分との間に定められた２セットのロジカルインタフェースを有するＳＡＥアーキテクチャを示す。訪問先ネットワーク内には、ポリシーの実施を可能とするために、ノード１へのポリシー管理インタフェースがなくてはならず、ホームＰＬＭＮ内には、ポリシーの実施を可能とするために、ノード２へのポリシー管理インタフェースがなくてはならない。
【００３２】
非ローミングの場合、単一の物理ボックス内にノード１とノード２とを実現することが本来可能である。しかしこのロジカルアーキテクチャは、これら２つのノードが別々であると仮定するので、それらに対するロジカルインタフェースは、もし単一の物理エンティティに接続されても、互いに独立して動作する。
【００３３】
ノード１とノード２との間のユーザデータインタフェースは、２つのノード間のユーザデータをルーティング／交換／転送するために用いられる。このアプローチにおいて、単一のユーザのためのホームネットワークで、例えば複数のＰＤＮへのアクセスをサポートするために、複数のノード２を有することが可能である。このアプローチにおいて、訪問先ＥＰＣ（ノード１）（例えば緊急サービスのためのローカルブレークアウト）からＰＤＮへの直接のアクセスは、ノード１にＧｉタイプのインタフェースがないために、特別な構成を必要とする。
【００３４】
このアプローチにおいて、ノード１は、ノード２内に存在しない何らかのアクセス関連機能を有することができる。
【００３５】
図８ａ及び図８ｂに示すように、これらは、単一のロジカルノードＡを有するＳＡＥアーキテクチャ（アプローチ２）を示す。このシステムは、アプローチ１の２つのノードシステムによるローミングの場合と全く同じ方法で動作する。非ローミングの場合、このロジカルアーキテクチャは大いに簡略化される。
【００３６】
ＥＰＣと、ＥＰＣ内のユーザ面処理に関連するシグナリング機能に関するシステム内のその他の部分との間には、１セットのインタフェースしか必要ではない。
【００３７】
ユーザ面ハンドリングのために２つの異なる場所が必要である場合、同一のノードＡの２回の発生が、ユーザデータパス内に挿入されることができる。これらのノード発生の各々において適用される可能なＳＡＥユーザ面ハンドリング手順のサブセットはその後、キャリアポリシー及び接続のタイプに依存しうる。
【００３８】
ノードＡの第１の発生とノードＡの第２の発生との間のユーザデータインタフェースは、２つのノード間のユーザデータトラヒックをルーティング／交換／転送するために用いられる。アプローチ１とアプローチ２との間には、ノード間ユーザデータインタフェースに関連する相違点があってはならない。
【００３９】
このアプローチにおいて、例えば複数のＰＤＮへのアクセスをサポートするために、単一のユーザのためのホームネットワーク内に複数のノードＡを有することが可能である。この点に関して、アプローチ１とアプローチ２との間に相違はない。このアプローチにおいて、訪問先ネットワーク（例えば緊急サービスのローカルブレークアウト）でのノードＡからＰＤＮへの直接のアクセスは、ノードＡが既にＧｉタイプのインタフェースを有するので、デフォルトによってサポートされる。
【００４０】
このアプローチにおいて、ノードＡの可能なアクセス関連機能は、ノードＡによる特定の接続に関する訪問先ネットワークのノードＡ内でのみ用いられる。
【００４１】
当業者は、情報及び信号が、任意の様々な異なる技術及び技法を用いて表されうることを理解するであろう。例えば、上記説明を通して参照されたデータ、命令、コマンド、情報、信号、ビット、記号、及びチップは、電圧、電流、電磁波、磁界や磁気粒子、光場や光粒子、又はこれら任意の組み合わせによって表すことができる。
【００４２】
当業者は更に、本明細書に開示された実施形態に関連して説明された様々な例示的論理ブロック、モジュール、回路、及びアルゴリズムステップが、電子工学的ハードウェア、コンピュータソフトウェア、又はそれら２つの組み合わせとして実現されうることをよく理解するであろう。ハードウェアとソフトウェアとの相互置換性を明確に示すために、様々な例示的構成要素、ブロック、モジュール、回路、及びステップが、それらの機能の観点から一般的に説明された。このような機能が、ハードウェアとして実現されるかソフトウェアとして実現されるかは、システム全体に課された設計制約及び特定のアプリケーションによる。当業者は、各特定のアプリケーションのために上述した機能を様々な方法で実装することができるが、このような実現の決定は、本発明の範囲から逸脱させるものとして解釈されてはならない。
【００４３】
本明細書に開示された実施形態に関連して説明された様々な例示的論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他プログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることができるが、代わりに、従来技術によるプロセッサ、コントローラ、マイクロコントローラ、あるいは状態機器を用いることもできる。プロセッサは、例えばＤＳＰとマイクロプロセッサとの組み合わせ、複数のマイクロプロセッサ、ＤＳＰコアに接続された１つ又は複数のマイクロプロセッサ、又はこのような任意の構成である計算デバイスの組み合わせとして実現することも可能である。
【００４４】
本明細書に開示された実施形態に関連して説明された方法やアルゴリズムのステップは、ハードウェアによって直接、プロセッサによって実行されるソフトウェアモジュールによって、又は、これらの組み合わせによって具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他任意の形式の記憶媒体に収納されうる。典型的な記憶媒体は、プロセッサがそこから情報を読み取り、またそこに情報を書き込むことができるように、プロセッサに結合される。または、記憶媒体はプロセッサに統合されうる。このプロセッサと記憶媒体とは、ＡＳＩＣ内に存在することもできる。ＡＳＩＣは、ユーザ端末内に存在することもできる。あるいはこのプロセッサと記憶媒体とは、ユーザ端末内のディスクリート部品として存在することができる。
【００４５】
開示された実施形態における上記記載は、当業者をして、本発明の製造又は利用を可能とするために提供される。これらの実施形態への様々な変形例もまた、当業者に対しては明らかであって、本明細書で定義された一般原理は、本発明の精神又は範囲を逸脱することなくその他の実施形態にも適用されうる。従って本発明は、本明細書に示す実施形態に限定することは意図されておらず、本明細書に開示された原理及び新規特徴と整合が取れた最も広い範囲と一致するように意図されている。
【図１】
2010504050.tif 000003
【図２】
2010504050.tif 000004
【図３】
2010504050.tif 000005
【図４】
2010504050.tif 000006
【図５】
2010504050.tif 000007
【図６】
2010504050.tif 000008
【図７ａ】
2010504050.tif 000009
【図７ｂ】
2010504050.tif 000010
【図８ａ】
2010504050.tif 000011
【図８ｂ】
2010504050.tif 000012
【国際調査報告】
2010504050.tif 000013
2010504050.tif 000014